(57)【特許請求の範囲】
【請求項１】
対向領域の周囲が封止材で接合された基板対の対向間隙の寸法が内部空間を区画する隔壁によって決まり、前記隔壁が前記封止材から離れており、前記隔壁の端部に生じた跳ね上がりに起因して当該隔壁端部とそれに対向する基板の内面との間に隙間が存在する構造をもつプラズマディスプレイパネルと、
前記プラズマディスプレイパネルを収納する筐体とを備え、
前記基板対の外面のうち、前記封止材に沿い前記隔壁端部より内側である環状の領域に、その全周にわたって又は４０ｍｍ以下の間隔で前記筐体が接触し、それによって前記隙間において生じる基板対の振動を低減する押圧力が加えられてなる
ことを特徴とするプラズマディスプレイ装置。
【請求項２】
対向領域の周囲が封止材で接合された基板対の対向間隙の寸法が内部空間を区画する隔壁によって決まり、前記隔壁が前記封止材から離れており、前記隔壁の端部に生じた跳ね上がりに起因して当該隔壁端部とそれに対向する基板の内面との間に隙間が存在する構造をもつプラズマディスプレイパネルと、
前記プラズマディスプレイパネルを収納する筐体と、
前記筐体の内面と前記プラズマディスプレイパネルとの間に配置され、前記基板対の外面に押圧力を加える押え部材とを備え、
前記基板対における前記押え部材が接触する領域は前記隔壁端部より内側の領域であり、前記押え部材の押圧力によって前記隙間において生じる基板対の振動が低減される
ことを特徴とするプラズマディスプレイ装置。
【請求項３】
前記押え部材の平面視形状は前記表示領域を囲む環状である
請求項２記載のプラズマディスプレイ装置。
【請求項４】
前記押え部材は弾性体である
請求項２記載のプラズマディスプレイ装置。
【請求項５】
前記押え部材は剛体である
請求項２記載のプラズマディスプレイ装置。
【請求項６】
前記押え部材は複数個の部分片からなる
請求項２記載のプラズマディスプレイ装置。
【請求項７】
前記押え部材は前記基板対の片方の外面に貼り付けられている
請求項２ないし６のいずれかに記載のプラズマディスプレイ装置。
【請求項８】
内部空間を区画する隔壁によって基板対の対向間隙の寸法が決まる構造をもつプラズマディスプレイパネルを駆動して振動音の有無及び発生箇所を検出し、
前記基板対の外面における前記振動音の発生箇所に、当該プラズマディスプレイパネルを収納する筐体に接触させるための突起を形成する押え部材を配置し、
その後に前記プラズマディスプレイパネルを前記筐体に組み付ける
ことを特徴とするプラズマディスプレイ装置の組立て方法。
【発明の詳細な説明】
【０００１】
【発明の属する技術分野】
本発明は、プラズマディスプレイパネル（Plasma Display Panel：ＰＤＰ）を筐体に組み付けたプラズマディスプレイ装置に関する。
【０００２】
プラズマディスプレイ装置は、大画面テレビジョン受像機として普及しつつある。利用の拡大に向けて、表示品位の向上とともに動作性能全般についての改善が進められている。
【０００３】
【従来の技術】
カラー表示に用いられる面放電型ＰＤＰは、隣り合うセルどうしの間の放電干渉を防止するための隔壁を有する。隔壁の配置パターンには、表示領域をマトリクス表示の列（カラム：ｃｏｌｕｍｎ)ごとに区画するストライプパターンと、セルごとに区画するメッシュパターンとがある。ストライプパターンを採用する場合には、平面視帯状の複数の隔壁が表示領域に配置される。メッシュパターンを採用する場合には、全てのセルを個々に囲む平面視形状をもった１つの隔壁（いわゆるボックスリブ）が表示領域に配置される。このような隔壁は、１５０μｍ〜２００μｍの高さをもち、表示領域における基板対の対向間隙の寸法を規定する。
【０００４】
一般に隔壁は低融点ガラスの焼成体であり、次の手順で形成される。（Ａ）ガラス基板上に低融点ガラスペーストを均一な厚みで塗布して乾燥させる。（Ｂ）乾燥したペースト層の上にフォトリソグラフィによって、隔壁に対応したパターンのマスクを形成する。（Ｃ）切削材を吹き付けるサンドブラストによってペースト層のマスキングされていない部分を切削する。（Ｄ）マスクを除去した後、パターニングされたペースト層を焼成する。
【０００５】
【発明が解決しようとする課題】
隔壁の形成において、ある程度の高さのばらつきは避けられない。特に上述したとおりサンドブラストでパターニングしたペースト層を焼成する場合には、サンドブラスト工程での切削がマスクの下方を抉るように進むサイドカットが生じ、その後の焼成に際して平面視における隔壁の端部が他より高くなることがある。具体的には、高さの設計値が１４０μｍの隔壁において、端部が他の部分よりも３０μｍ程度高くなる。この現象は“跳ね上がり”と呼ばれ、その原因は熱収縮応力の不均一であると考えられている。跳ね上がりは、隔壁を有した基板と他の基板とを重ねるＰＤＰの組み立てにおいて、基板どうしの密着を不完全にする。隔壁形成領域内の大部分では隔壁の上面に対向基板面が密着するのに対して、隔壁形成領域内の跳ね上がり位置の近傍では、跳ね上がった隔壁端部のみが対向基板面と当接し、それによって微視的に基板が湾曲して隔壁上面と対向基板面との間に隙間が生じる。このような状態のＰＤＰでは、表示のための高周波駆動電圧の印加にともなう周期的な静電吸引によって基板が局部的に固有振動し、それによって微かな音が生じるという問題があった。
【０００６】
本発明は、基板の共振による動作音を低減することを目的としている。
【０００７】
【課題を解決するための手段】
本発明においては、プラズマディスプレイパネルを構成する基板対の外面のうち、表示領域の外側であり且つ基板対の対向間隙の周囲において基板対を接合する封止材の内側であって表示領域を囲む環状の領域に押圧力を加える。押圧力を加える手段としては、プラズマディスプレイパネルとそれを収納する筐体との間に押え部材を挿入する方法、および筐体を基板面に当接させる方法がある。押え部材は硬質ゴム、樹脂製ばねを含む弾性体でもよいし、樹脂や金属からなる剛体であってもよい。
【０００８】
【発明の実施の形態】
図１は本発明に係るディスプレイ装置の概略構成図である。ディスプレイ装置１００は、ＰＤＰ１、筐体７１、および駆動ユニットから構成される。ＰＤＰ１は一対の基板構体１０，２０からなる。基板構体とは、画面サイズ以上の大きさの板状の支持体と他の少なくとも１種のパネル構成要素とからなる構造体を意味する。基板構体１０，２０は重ね合わせるように対向配置され、対向領域の周囲が封止材３５で接合されている。筐体７１はＰＤＰ１および駆動ユニットを収納する。ただし、筐体７１は画面サイズの窓７１０を有しており、ＰＤＰ１の前面における表示領域(画面に対応する領域）６０を隠さない。駆動ユニットはＰＤＰ１の電極に接続されるドライバ５１，５２，５３を有している。図では便宜的にドライバ５１，５２，５３がＰＤＰ１の周囲に配置されているが、実際にはこれらはＰＤＰ１の後ろに配置される。駆動ユニットはＰＤＰ１の背面に貼り付けられ、この駆動ユニットを筐体７１に取り付けることによってＰＤＰ１が筐体７１に固定される。
【０００９】
図２はＰＤＰ１のセル構造の一例を示す図である。表示画面を構成する各セルにおいて、表示電極Ｘ，Ｙとアドレス電極Ａとが交差する。表示電極Ｘ，Ｙは、前面側のガラス基板１１の内面に配列されており、それぞれが面放電ギャップを形成する透明導電膜４１と行の全長にわたって延びる金属膜（バス電極）４２とからなる。表示電極対を被覆するように厚さ３０〜５０μｍ程度の誘電体層１７が設けられ、誘電体層１７の表面には保護膜１８としてマグネシア（ＭｇＯ）が被着されている。アドレス電極Ａは、背面側のガラス基板２１の内面に配列されており、誘電体層２４によって被覆されている。誘電体層２４の上には、高さ１４０μｍ程度の帯状の隔壁２９が各アドレス電極Ａの間に１つずつ設けられている。これらの隔壁２９によって放電空間がマトリクス表示の行（ｒｏｗ）に沿った方向に列（ｃｏｌｕｍｎ）ごとに区画され、且つ放電空間の前後の寸法が規定される。放電空間のうちの各列に対応した列空間３１は全ての行に跨がって連続している。そして、アドレス電極Ａの上方および隔壁２９の側面を含めて背面側の内面を被覆するように、カラー表示のためのＲ，Ｇ，Ｂの３色の蛍光体層２８Ｒ，２８Ｇ，２８Ｂが設けられている。図中の斜体アルファベットＲ，Ｇ，Ｂは蛍光体の発光色を示す。蛍光体層２８Ｒ，２８Ｇ，２８Ｂは放電ガスが放つ紫外線によって局部的に励起されて発光する。
【００１０】
図３はディスプレイ装置の要部構造の模式図である。同図では、前面側の基板構体におけるガラス基板１１を除く構成要素を省略し、背面側の基板構体におけるガラス基板２１および隔壁２１を除く構成要素を省略してある。実際、ガラス基板１１，２１の厚さは２ｍｍ〜３ｍｍであるのに対して、誘電体層の厚さは３０μｍ程度であって十分に小さい。電極および保護膜は誘電体層よりも薄い。
【００１１】
ＰＤＰ１において、封止材３５の内端と表示領域６０との距離Ｄ１は約１５ｍｍであり、隔壁２９の端と表示領域６０との距離Ｄ２は７ｍｍ〜８ｍｍである。上述したように隔壁２９は背面側のガラス基板２１に形成されており、その端部が跳ね上がって他の部分よりも高くなっている。跳ね上がり量ΔＨは約３０μｍである。封止材３５は隔壁材料よりも軟化点の低い低融点ガラスからなり、ガラス基板１１とガラス基板２１とをガラス融着する封止工程では隔壁２９は軟化しない。このため、封止工程においてガラス基板１１の端部が僅かに湾曲変形し、ガラス基板１１と隔壁２９の上面との間に隙間３３が生じている。隙間３３の内端から封止材３５の内端までの長さＤ３の範囲にわたって、ガラス基板１１の支持が不安定ないわゆる浮いた構造（封止材３５に沿った長さ(幅）Ｄ３の梁が形成された構造）となっている。梁の長さＤ３の具体値は約４０ｍｍである。このような浮いた部分をもつＰＤＰ１では、表示のための高周波駆動電圧の印加にともなう周期的な静電吸引によって基板の浮いた部分が局部的に固有振動数で共振し、それによって微かな音が生じるおそれがある。梁の長さＤ３が４０ｍｍ以下になると、共振の周波数が高周波になり音が聞こえなくなる。したがって、Ｄ３で表される梁の長さを４０ｍｍ以下にするような押さえ込み圧力が必要となる。
【００１２】
ディスプレイ装置１００においては、ＰＤＰ１の共振による音を低減するため、ＰＤＰ１と筐体７１との間にゴムからなる厚さが２ｍｍ〜３ｍｍ程度の押え部材７５が挿入されている。図４のように押え部材７５は表示領域６０を囲む環状である。押え部材７５によってガラス基板１１の外面に押圧力が加わり、ガラス基板１１の微振動が抑えられる。押え部材７５は前方からは見えないように筺体７１によって隠される。また、押圧力を効果的に加えるため、押え部材７５はガラス基板１１の浮いた部分に配置される。すなわち、押え部材７５とガラス基板１１との接触面は、隙間３３の内端から封止材３５の内端までの長さＤ３の範囲に限定される。図示の例では隙間３３が表示領域６０の中まで及んでいるが、隙間３３の内端が表示領域６０の外側である場合には、隙間３３の内端まで押え部材７５を設けることができる。また、この場合には、長さＤ３の範囲の全体に押圧力を加えてもよいし、長さＤ１の方向の中間位置に局所的に押圧力を加えてもよい。押え部材７５の材質については弾性体に限らない。筐体７１に適度の可撓性があるときには、押え部材７５が剛体であっても適度の押圧力をガラス基板１１に加えることができる。ディスプレイ装置１００の組立てにおいては、あらかじめ押え部材７５を貼り付けておいたＰＤＰ１を筐体７１に収めてもよいし、逆に押え部材７５を貼り付けておいた筐体７１にＰＤＰ１を収めてもよい。
【００１３】
図５はディスプレイ装置の要部構造の変形例の模式図である。図示のディスプレイ装置１００ｂでは、押え部材７５ｂが筐体７１ｂと一体である。すなわち、筐体７１ｂの一部が押え部材７５ｂとして機能する。
【００１４】
図６は押え部材の他の例を示す平面図である。図６（Ａ）において、押え部材７７は環状に並ぶ４個の部分片７７１，７７２，７７３，７７４で構成される。表示領域６０を囲む環状の領域に押圧力を加えることにより、表示領域６０の周囲のどこが音の発生する部位かを確認する手間を省くことができる。図６（Ｂ）においては、多数の小さな押え部材７８が表示領域６０を囲む環状に並ぶように配置されている。隣り合う押え部材７８どうしの間隔Ｄ５は上記梁の長さＤ３の値である４０ｍｍ以下に選定されており、これによって環状の押え部材７５，７７を配置する場合と同等の音対策効果が得られる。上述したように筐体の一部を押え部材とする場合には、筐体の内面に環状に並ぶ複数の突起を形成しておけばよい。
【００１５】
図７は他のディスプレイ装置の要部構造の模式図である。ディスプレイ装置１０１は、電磁波遮断や色調整および赤外線の低減のためのフィルタ８１を備えている。フィルタ８１はＰＤＰ１の前面から２ｍｍ〜３ｍｍ程度離して配置される。このフィルタ８１を支持するための枠７６がＰＤＰ１の微振動を抑える押え部材を兼ねている。ＰＤＰ１は、その背面に貼り付けた駆動ユニット５０を筐体７２に取り付けることによって、筐体７２に固定される。ＰＤＰ１の前面は枠７６を介して間接的に筐体７２の前面部分によって押さえられる。
【００１６】
以上、表示領域６０の周囲を均等に押さえる形態を説明したが、部分的に押さえる形態もある。それを採用する場合は、組立てを終えたＰＤＰ１を駆動してエージングおよび動作試験を行う際に、振動音の有無及び発生箇所を検出する。そして、振動音が発生する場合には、図８のように発生箇所のみに押え部材７８を配置してＰＤＰ１を筐体７１に組み付ける。組み付け前にあらかじめ押え部材７８をＰＤＰ１に固定しておいてもよいし、組み付け時に押え部材７８をＰＤＰ１と筐体７１との間に挟み込んでもよい。
【００１７】
上述の実施形態において、フィルム状のフィルタをガラス基板１１の外面に貼り付ける場合は、フィルタの表面を基板面とみなすことができる。つまり、フィルタを押さえることによって振動音を低減することができる。筐体７１,７２はＰＤＰ１の前面の周囲を覆う構造体であれば、その構成、形状、及び材質に限定はない。金属と樹脂の複合体であってもよい。
【００１８】
【発明の効果】
請求項１ないし請求項８の発明によれば、基板の共振による動作音を低減することができる。
【図面の簡単な説明】
【図１】本発明に係るディスプレイ装置の概略構成図である。
【図２】ＰＤＰのセル構造の一例を示す図である。
【図３】ディスプレイ装置の要部構造の模式図である。
【図４】押え部材の平面形状の一例を示す図である。
【図５】ディスプレイ装置の要部構造の変形例の模式図である。
【図６】押え部材の他の例を示す平面図である。
【図７】他のディスプレイ装置の要部構造の模式図である。
【図８】押え部材の配置の他の例を示す平面図である。
【符号の説明】
１  ＰＤＰ(プラズマディスプレイパネル）
２９  隔壁
３１  列空間（対向間隙）
７１，７２  筐体
７５，７６，７７，７８  押え部材(突起）
７７１，７７２，７７３，７７４  部分片
【図１】
0004131633.tif 000002
【図２】
0004131633.tif 000003
【図３】
0004131633.tif 000004
【図４】
0004131633.tif 000005
【図５】
0004131633.tif 000006
【図６】
0004131633.tif 000007
【図７】
0004131633.tif 000008
【図８】
0004131633.tif 000009